(57)【要約】【課題】観賞、コレクション、装飾の価値に加えて、財産やお守りの価値をも充分に意識できるようにする。【解決手段】勾玉形状のペンダント本体１に、宝石用取付穴２及び誕生石用取付穴３を形成し、人に贈るためのダイアモンド（宝石）４をペンダント本体１の宝石用取付穴２に着脱可能に玉止めすると共に、自己が保有するためのアクアマリン（誕生石）５を、ペンダント本体１の誕生石用取付穴３に玉止めし、ダイアモンド４を、自己を守るためのアクアマリン５と共に、恋人や子孫に贈るその日まで保有し、ダイアモンド４を贈る際には、ペンダント本体１からダイアモンド４を取り外してイヤリングや指輪に玉止めする。【選択図】　　図１
2004097507.tif 000002
【特許請求の範囲】
【請求項１】
ペンダント本体に、宝石用取付穴及び誕生石用取付穴が形成され、さらに、ペンダント本体の宝石用取付穴には、人に贈るための宝石が玉止めされると共に、ペンダント本体の誕生石用取付穴には、自己が保有するための誕生石が玉止めされ、宝石及び誕生石のうち少なくとも宝石が着脱可能に構成されてなることを特徴とするペンダント。
【請求項２】
ペンダント本体の形状が、勾玉、ハート、十字架、三日月、人型、卵のうち何れか一つであることを特徴とする請求項１に記載のペンダント。
【請求項３】
ペンダント本体の誕生石用取付穴が星形状を呈し、星形状の内径部で玉止めされてなることを特徴とする請求項１又は２に記載のペンダント。
【請求項４】
宝石及び誕生石がブリリアンカットされると共に、宝石がダイアモンドであることを特徴とする請求項１乃至３のいずれか１項に記載のペンダント。
【請求項５】
宝石の宝石用取付穴、及び、誕生石の誕生石用取付穴を有するペンダント本体を成形する成形工程と、成形されたペンダント本体を研磨する研磨工程と、研磨されたペンダント本体の宝石用取付穴に宝石を着脱可能に玉止めすると共に、ペンダント本体の誕生石用取付穴に誕生石を着脱可能に玉止めする玉止め工程と、宝石及び誕生石が玉止めされたペンダント本体を研磨して最終仕上げする仕上げ工程とを備えたことを特徴とするペンダントの製造方法。
【発明の詳細な説明】
【０００１】
【発明の属する技術分野】
本発明は、例えば、恋人や子孫に想いを込めて贈る宝石を、自己を守るための誕生石と共に、贈るその日まで保有するためのペンダント及びその製造方法に関する。
【０００２】
【従来の技術及び発明が解決しようとする課題】
一般に、イヤリング、指輪、ペンダントなどの宝飾品は、観賞、コレクション、装飾、財産、お守りとしての価値を重ね持っている。しかしながら、昨今では、贅沢な装飾品としての価値が主に意識され、財産やお守りとしての価値が意識されることが少なくなっている場合もある。
【０００３】
また、特開２００２−５１８１１号に示すように、着脱可能に取り付けられた宝石を、好みに応じてイヤリングやリングに取付し、装飾のバリエーションを楽しめるものも公知になっている。
【０００４】
そこで、本発明は上記問題点に鑑み、観賞、コレクション、装飾の価値に加えて、財産やお守りの価値をも充分に意識できるペンダント及びその製造方法を提供することを目的とする。
【０００５】
【課題を解決するための手段】
上記課題を解決するために、本発明のペンダントは、請求項１に示す如く、ペンダント本体に、宝石用取付穴及び誕生石用取付穴が形成され、さらに、ペンダント本体の宝石用取付穴には、人に贈るための宝石が玉止めされると共に、ペンダント本体の誕生石用取付穴には、自己が保有するための誕生石が玉止めされ、宝石及び誕生石のうち少なくとも宝石が着脱可能に構成したものである。
【０００６】
したがって、ペンダント本体に宝石と誕生石が玉止めされることで、観賞、コレクション、装飾としての価値が高くなる一方、宝石や誕生石によって、贈る相手、及び、所有者に対し、財産としての価値、お守りとしての価値が高くなる。
【０００７】
また、請求項２に示す如く、勾玉、ハート、十字架、三日月、人型、卵のうち何れか一つを、ペンダント本体の形状として選択するようにしてもよい。
【０００８】
そうすれば、ペンダント本体が、所有者のお守りとして形に象徴されるようになる。例えば、ハートであれば、愛や希望、喜びをもたらすように、三日月であれば、夢や希望が叶えられるように、人型であれば、素直に自己を見つめて自己向上の意識が高まるように、水滴であれば、その丸みから協調性が高められ、周囲の人との絆が強くなるように、お守りとしての意味がペンダント本体の形に込められる。
【０００９】
さらに、請求項３に示す如く、ペンダント本体の誕生石用取付穴を星形状に形成し、星形状の内径部で玉止めするようにしてもよい。
【００１０】
この場合、宝石や誕生石の持つとされるお守りとしての価値に加えて、ペンダント本体の形状の持つお守りとしての価値と、誕生石用取付穴の形状の持つお守りとしての価値とが重ね合うことになり、贈る相手や所有者に対し、お守りとしての価値がより一層高まることになる。さらに、ペンダント本体の形状と、誕生石用取付穴の形状とが組み合わさることで、意匠的な価値も高くなる。
【００１１】
加えて、請求項４に示す如く、宝石及び誕生石をブリリアンカットすると共に、宝石をダイアモンドとするのがよい。
【００１２】
宝石や誕生石を、光の屈折率が最も高くなるとされるブリリアンカットすることで、観賞や装飾としての価値が高くなる。さらに、宝石をダイアモンドにすることで、財産としての価値も高くなる。
【００１３】
また、本発明のペンダントの製造方法は、請求項５に示す如く、宝石の宝石用取付穴、及び、誕生石の誕生石用取付穴を有するペンダント本体を成形し、つぎに、成形されたペンダント本体を研磨し、続いて、研磨されたペンダント本体の宝石用取付穴に宝石を玉止めすると共に、誕生石用取付穴に誕生石を玉止めし、宝石及び誕生石が玉止めされたペンダント本体を研磨して最終仕上げするようにしたものである。
【００１４】
【発明の実施の形態】
本発明の一実施形態について説明する。
本発明のペンダントは、宝石の宝石用取付穴、及び、誕生石の誕生石用取付穴を有するペンダント本体と、宝石用取付穴に着脱可能に玉止めされた宝石と、誕生石用取付穴に着脱可能に玉止めされた誕生石と、ペンダント本体に挿通されたネックレスとから構成されている。
【００１５】
例えば、ペンダント本体が十字架形状に成形され、該ペンダント本体の表面に宝石用取付穴が形成されると共に、ペンダント本体の裏面に誕生石取付穴が形成され、さらに、テーブルカットされたエメラルドがペンダント本体の宝石用取付穴に着脱可能に玉止めされると共に、オーバルカットされたガーネットがペンダント本体の誕生石用取付穴に着脱可能に玉止めされているとすると、以下に記載する効果がある。
【００１６】
エメラルド、又は、ガーネットのどちらかを表側に位置させてネックレスを装着できるため、所有者は、バリエーションを楽しめることになり、観賞、装飾性が高くなる。
【００１７】
さらに、十字架の形状に形成されたペンダント本体は、所有者の自己の内面性と外面性、心と身体のバランスをとって願望達成へと導こうとする力を秘めているとされる。しかも、エメラルドは、幸福や幸運を招くとされ、さらに、ガーネットは、友愛に富み、石のパワーによって高められる忠誠によって、所有者と、その周囲の人との絆が強くなるとされている。
【００１８】
さらに、エメラルドを財産として人に贈る際には、ペンダント本体からエメラルドを取り外し、イヤリングや指輪にエメラルドを装着して贈ることもできる。一方、誕生石であるガーネットは、自己の財産やお守りとして、ペンダント本体に玉止めされた状態のまま保有することもできる。
【００１９】
このように、本発明のペンダントによれば、宝石と誕生石をペンダント本体の表裏に配置することで、観賞、コレクション、装飾としての価値が高くなることに加えて、人に贈る宝石と、自己の保有する誕生石とを合わせ持つことで、贈る人や保有者に対して、財産、お守りとしての価値も高くなる。
【００２０】
【実施例１】
つぎに本発明の実施例１のペンダントにつき、図１〜図４を参照して説明する。頭部と尾部とを具備する勾玉形状に形成されたペンダント本体１と、該ペンダント本体１の頭部に貫穿された大径の宝石用取付穴２と、ペンダント本体１の裏面側の頭部、尾部の境界部に掘穿された小径の誕生石用取付穴３と、宝石用取付穴２に着脱可能に玉止めされた宝石としてのダイアモンド４と、誕生石用取付穴３に玉止めされた３月の誕生石としてのアクアマリン５と、ペンダント本体１の頭部に固定された吊り部材６と、該吊り部材６に挿通されたチェーン（図示せず）とから構成されている。
【００２１】
勾玉形状のペンダント本体１には、古来より、男性に対しては戦さの際のお守りとされ、女性に対しては心身の美しさを願ったお守りとされている。
【００２２】
宝石用取付穴２は、その断面が台形状を呈している。即ち、ダイアモンド４の取付面側（表面）の穴径が小さく、その反対側（裏面）の穴径が、ダイアモンド４の取付面側に比して大きく形成されている。この理由としては、ペンダント本体１の軽量化を図るためと、ペンダント本体１の裏面側からの入光を増大させてダイアモンド４を煌びやかに見せるためである。
【００２３】
誕生石用取付穴３は、その形状が略円錐形状を呈している。その開口部の直径が、宝石用取付穴２に比して小さく形成されている。そして、便宜上、ペンダント本体１の正面側においては、ダイアモンド４が位置し、裏面側においては、アクアマリン５が位置するようになっているが、ペンダント本体１を装着する際には、好みに応じてダイアモンド４、又は、アクアマリン５の何れかを正面側に位置させて着飾ることができる。
【００２４】
宝石としてのダイアモンド４は、ブリリアンカットされ、約０．２〜０．６カラットのものが使用されている。このダイアモンド４は、その上部が略台錐形状を呈し、下部が略円錐形状を呈し、上部の略台錐形状の錐体と、下部の略円錐形状の錐体とが、略円形状の底面を共有して一体になっている。上部の略台錐形状の錐体の上面（平坦面）をテーブル４ａ、その傾斜面をクラウン４ｂと称している。さらに、下部の円錐形状の錐体の傾斜面をパビリオン４ｃ、その尖頭部をキューレット４ｄと称している。加えて、クラウンとパビリオンとの境界部（共有する底面の円周）をガードル４ｅと称している。
【００２５】
そして、ダイアモンド４のパビリオン４ｃが宝石用取付穴２に挿入されて、ダイアモンド４のガードル４ｅが宝石取付穴２の周縁部に当接し、ダイアモンド４がペンダント本体１に載置されている。さらに、ダイアモンド４のクラウン４ｂに沿って形成されたペンダント本体１の複数の係止突起８，…が、ダイアモンド４のクラウン４ｂに当接し、ダイアモンド４がペンダント本体１に玉止めされている。
【００２６】
誕生石としてのアクアマリン５は、ダイアモンド４と同様に、ブリリアンカットされ、約０．１カラットのものが使用されている。さらに、アクアマリン５の取付構造もダイアモンド４と同様に、ペンダント本体１の複数の係止突起８，…によって成されている（図示せず）。
【００２７】
なお、３月の誕生石としては、アクアマリン５であるが、この他に、１月はガーネット、２月はアメジスト、４月はダイアモンド、５月はエメラルド、６月はムーンストーン、７月はルビー、８月はペリドット、９月はサファイア、１０月はピンクトルマリン、１１月はシトリン、１２月はタンザナイトが挙げられる。
【００２８】
さらに、各誕生石には、特有の力を秘めているとされている。例えば、ガーネットには、友愛、忠実、アメジストには、誠実、心の平和、前記アクアマリン５には、沈着、勇敢、聡明、ダイアモンドには、清浄無垢、エメラルドには、幸福、幸運、ムーンストーンには、健康、長寿、富、ルビーには、熱情、仁愛、威厳、ペリドットには、夫婦の幸福、和合、サファイアには、慈愛、誠実、徳望、ピンクトルマリンには、心の中の歓喜、安楽、忍耐、シトリンには、友情、希望、潔白、タンザナイトには、成功を保証する力が秘められているとされている。
【００２９】
また、１月〜５月、７月、９月の誕生石は、前記と同様であるが、６月はパール、８月はサードニックス、１０月はオパール、１１月はトパーズ、１２月はトルコ石とする場合もある。その他、１２の星座によって誕生石を選択するようにしてもよい。
【００３０】
吊り部材６は、吊り輪６ａと、該吊り輪６ａの周面に、該吊り輪６ａの径外方向に沿って突出して一体化された棒状の植設部６ｂとを具備している。吊り輪６ａにチェーンが挿通され、ペンダント本体１がチェーンに吊り下げられた状態になっている。
【００３１】
つぎに本発明の実施例１のペンダントの製造方法について説明する。まず、成形工程においては、創作されるペンダント本体１の図案に基づいて形成された空間を有するゴム型にロウを流し込んで、ペンダント本体模型を形成し、ペンダント本体模型に基づいて石膏型を形成し、該石膏型に溶融した金又は白金を射出してペンダント本体模型を熔解してインゴット、即ちペンダント本体１を形成する。
【００３２】
つぎに、吊り部材取付工程においては、吊り部材６の植設部６ｂをペンダント本体１の頭部にロウ付けして取り付ける。続いて、粗仕上げ工程に移行し、サンドペーパで、ペンダント本体１の全面を研磨すると共に、宝石用取付穴２の壁面及び誕生石用取付穴３の壁面を研磨する。そして、精密仕上げ工程において、サンドペーパで研磨した際の傷をシリコンで研磨することによって除去した後、バフ仕上げを行う。
【００３３】
つぎに玉止め工程に移行し、宝石用取付穴２の取付面側の穴の周縁部にたがねを用いて係止突起８，…を形成し、ブリリアンカットされたダイアモンド４を玉止めする。誕生石用取付穴３も宝石用取付穴２と同様に、たがねによって係止突起８，…を形成し、アクアマリン５を玉止めする。
【００３４】
最後に、宝石用取付穴及び誕生石用取付穴のバリを除去するために、玉ぐり仕上げを行い、再度シリコンによって研磨した後、バフ仕上げを行う。但し、ペンダント本体１に白金が使用されている場合には、玉ぐり仕上げを行った後、シリコン研磨、バフ仕上げを行い、最後に、ペンダント本体１にロジウムメッキする。
【００３５】
つぎに本発明の実施例１のペンダントの使用態様について説明する。ダイアモンド４を人に贈るまでは、所有者が、自己の財産として、及び、自己のお守りとしてアクアマリンと共に保有する。
【００３６】
また、ダイアモンド４を人、例えば、恋人や家族に贈る場合には、ペンダント本体１を専門職人に持ち込み、専門職人がたがねを用いて、ペンダント本体１の係止突起８，…をダイアモンド４のクラウン４ｂから離間させ、ダイアモンド４をペンダント本体１から取り外し、専門職人によって、リングやイヤリングに装着してもらう。一方、アクアマリン５はペンダント本体１に玉止めされた状態で、自己のお守りとして身に着ける。
【００３７】
また、前記実施例１の場合、ペンダント本体１の宝石用取付穴２の断面を略台形状としたが、図５に示すように、ペンダント本体１の宝石用取付穴２を、小径の貫通穴２ａと、該貫通穴２ａのダイアモンド４が玉止めされる側に形成された凹部２ｂとを備えた形状にしてもよい。この場合、凹部２ｂの開口周縁部と、凹部２ｂの底壁及び貫通穴２ａの側壁により形成される段部２ｃとによって、ダイアモンド４の周面が二点支持されることになり、ダイアモンド４が安定した状態で支持されると共に、確実に固定される。
【００３８】
【実施例２】
つぎに本発明の実施例２のペンダントにつき、図６及び図７を参照して説明する。図１に示す実施例１のペンダントと異なる点は、ペンダント本体１０の形状が、皿形状の断面を有する卵形状、又は、水滴（涙の粒）形状を呈しており、そのペンダント本体１０の上部に、平面視円形状の宝石用取付穴１１が穿設され、ペンダント本体１０の下部の膨出部に星形状の誕生石用取付穴１２が穿設され、ペンダント本体１０の上部の側面に、チェーンの挿通穴１３が穿設されている点である。この場合、卵形状、又は、水滴形状のペンダント本体１０の断面が、皿形状を呈しているため、裏面側が全面開口されているので、裏面側からの光の入射率が高く、ダイアモンド４及びアクアマリン５がより煌びやかに見える。さらに、大幅にペンダント本体１０の軽量化が図られている。
【００３９】
水滴形状のペンダント本体１０には、その丸みによって、周囲の人との協調性が高められ、星形状の誕生石用取付穴１２には、魔よけの力が秘められているとされる。よって、ペンダント本体１０、ダイアモンド４、アクアマリン５のそれぞれに秘められた力が重ね合わされることで、所有者に対してお守りの価値をより高めている。
【００４０】
誕生石用取付穴１２には、その壁面にＶ字形状の溝１２ａが形成され、ブリリアンカットされたアクアマリン５が溝１２ａに係止して着脱可能に玉止めされるようになっている。
【００４１】
つぎに本発明の実施例２のペンダントの製造方法について説明する。前記実施例１と同様に、成形工程において、創作されるペンダント本体１０の図案に基づいて、ペンダント本体１０のインゴットを形成する。
【００４２】
つぎに、サンドペーパで、ペンダント本体１０の全面、宝石用取付穴１１の壁面及び誕生石用取付穴１２の壁面を研磨して粗仕上げする。そして、シリコンで研磨した後、バフ仕上げを行い、続いて、ペンダント本体１０の宝石用取付穴１１及び誕生石用取付穴１２に、ダイアモンド４及びアクアマリン５を玉止めし、最終仕上げを行う。
【００４３】
つぎに本発明の実施例２のペンダントの使用態様については、前記実施例と同様であるため、説明は省略する。
【００４４】
なお、前記実施例１，２の場合、宝石をダイアモンド４としたが、限定されるものではなく、好みの宝石、例えばルビー、サファイアなどから適宜選択することもできるのは勿論である。
【００４５】
また、誕生石も、前記宝石と同様に、上述した誕生石から好みに合わせて適宜選択できる。
【００４６】
さらに、宝石や誕生石のカッティングの形状は図示に限定されるものではなく、例えば、ローズカット、プリンセスカットなどであってもよい。
【００４７】
加えて、ペンダント本体１、１０の形状も図示に限定されるものではなく、例えば、ハート、三日月、人型の形状であってもよい。また、ペンダント本体１、１０には、恋人や家族のイニシャルを刻印できるのはいうまでもない。
【００４８】
また、前記実施例１，２においては、いずれの場合も宝石のみを着脱可能な構成にしたが、誕生石も着脱可能な構成にしてもよい。
【００４９】
【発明の効果】
以上説明したように、本発明のペンダントによれば、宝石及び誕生石のうち少なくとも宝石を着脱可能に玉止めし、ペンダント本体を観賞、コレクション、装飾としての価値を高めると共に、宝石や誕生石を、贈る相手や所有者に対し、財産やお守りとしての価値をも高めるようにしたため、宝石として重ね合わせ持つ本来の価値を充分に意識できる効果がある。
【００５０】
また、ペンダント本体の形状を、勾玉、ハート、十字架、三日月、人型、卵のうち何れか一つを選択し、ペンダント本体に、お守りとしての意味を形で表現するようにしたため、宝石及び誕生石に秘められた力に、ペンダント本体の形状の持つ力が加わり、お守りとしての価値が高くなる効果がある。
【００５１】
さらに、ペンダント本体の誕生石用取付穴を星形状に形成し、ペンダント本体の形状の持つ意味と、誕生石用取付穴の形状のもつ意味とを組み合わせるようにしたため、財産として、又は、お守りとしての価値をより一層高めるのに有効である。
【００５２】
加えて、宝石及び誕生石をブリリアンカットすると共に、宝石をダイアモンドにするようにしたので、財産としての価値を向上させるのに効果的である。
【図面の簡単な説明】
【図１】本発明の実施例１のペンダントの斜視図。
【図２】図１の縦断面図。
【図３】図１の宝石とペンダント本体の宝石用取付穴との要部の拡大断面図。
【図４】本発明の実施例１のペンダントの製造方法を示したフローチャート。
【図５】宝石用取付穴の他の例の断面図。
【図６】本発明の実施例２のペンダントの斜視図。
【図７】図６の側断面図。
【符号の説明】
１、１０　ペンダント本体
２、１１　宝石用取付穴
２ａ　貫通穴
２ｂ　凹部
２ｃ　段部
３、１２　誕生石用取付穴
４　ダイアモンド（宝石）
４ａ　テーブル
４ｂ　クラウン
４ｃ　パビリオン
４ｄ　キューレット
４ｅ　ガードル
５　アクアマリン（誕生石）
６　吊り部材
６ａ　吊り輪
６ｂ　植設部
８　係止突起
１２ａ　溝
１３　挿通穴
【図１】
2004097507.tif 000003
【図２】
2004097507.tif 000004
【図３】
2004097507.tif 000005
【図４】
2004097507.tif 000006
【図５】
2004097507.tif 000007
【図６】
2004097507.tif 000008
【図７】
2004097507.tif 000009